(57)【特許請求の範囲】
【請求項１】
少なくとも一つがクローズド・キャプションに対応している複数の映像ソースからの映像信号に基づく映像を主画面および副画面として同時に映像出力装置の画面上に表示するとともに、上記映像信号に対応する音声信号を音声出力装置に供給するようにしたクローズド・キャプション機能を有したテレビジョン受像機であって、
上記複数の映像ソースからの映像信号の内、主画面として出力する映像信号を選択する主選択手段と、
上記複数の映像ソースからの映像信号の内、副画面として出力する映像信号を選択する副選択手段と、
上記主選択手段により選択された映像信号を処理して上記映像出力装置に供給する主映像処理手段と、
上記主選択手段により選択された映像信号に対応する音声信号を処理して上記音声出力装置から音声として出力する音声処理手段と、
上記複数の映像ソースからの映像信号の内、上記副選択手段により選択された映像信号に付随したクローズド・キャプション信号を文字表示回路に供給してクローズド・キャプション信号に対応した文字を表示するため字幕信号を発生させ、この字幕信号を上記映像出力装置に供給し、上記副画面以外の位置にクローズド・キャプションを表示するクローズド・キャプション処理手段とを備え、
上記映像出力装置の画面上に主画面および副画面を同時に表示し、
主画面に対応する音声を上記音声出力装置から出力し、
副画面に対応する音声を上記音声出力装置から出力しないようにし、
上記クローズド・キャプション処理手段は、表示すべき副画面が複数ある時に、この複数の副画面に対応する複数の映像信号に付随するクローズド・キャプション信号を処理し、処理された複数のクローズド・キャプションそれぞれを、対応する副画面と位置的に対応させて表示するようにしたことを特徴とするクローズド・キャプション機能を有したテレビジョン受像機。
【請求項２】
請求項１に記載のクローズド・キャプション機能を有したテレビジョン受像機であって、さらに、
表示すべき副画面が複数ある時に、この複数の副画面の外枠の色を互いに変える手段を設け、
上記クローズド・キャプション処理手段は、クローズド・キャプションの色を、対応する副画面の外枠の色と同一色で表示するようにしたことを特徴とするクローズド・キャプション機能を有したテレビジョン受像機。
【請求項３】
少なくとも一つがクローズド・キャプションに対応している複数の映像ソースからの映像信号に基づく映像を主画面および副画面として同時に映像出力装置の画面上に表示するとともに、上記映像信号に対応する音声信号を音声出力装置に供給するようにしたクローズド・キャプション機能を有したテレビジョン受像機における映像信号処理方法であって、
上記複数の映像ソースからの映像信号の内、主画面として出力する映像信号を選択し、
上記複数の映像ソースからの映像信号の内、副画面として出力する映像信号を選択し、
上記選択された主画面として出力する映像信号を処理して上記映像出力装置に供給し、
上記選択された主画面として出力する映像信号に対応する音声信号を処理して上記音声出力装置から音声として出力し、
上記複数の映像ソースからの映像信号の内、上記選択された副画面として出力する映像信号に付随したクローズド・キャプション信号に対応した文字を表示するため字幕信号を発生させ、この字幕信号を上記映像出力装置に供給し、
上記副画面以外の位置にクローズド・キャプションを表示し、
上記映像出力装置の画面上に主画面および副画面を同時に表示し、
主画面に対応する音声を上記音声出力装置から出力し、
副画面に対応する音声を上記音声出力装置から出力しないようにし、
表示すべき副画面が複数ある時に、この複数の副画面に対応する複数の映像信号に付随するクローズド・キャプション信号を処理し、処理された複数のクローズド・キャプションそれぞれを、対応する副画面と位置的に対応させて表示するようにしたことを特徴とするクローズド・キャプション機能を有したテレビジョン受像機における映像信号処理方法。
【請求項４】
請求項３に記載のクローズド・キャプション機能を有したテレビジョン受像機における映像信号処理方法であって、さらに、
表示すべき副画面が複数ある時に、この複数の副画面の外枠の色を互いに変え、
上記クローズド・キャプションの色を、対応する副画面の外枠の色と同一色で表示するようにしたことを特徴とするクローズド・キャプション機能を有したテレビジョン受像機における映像信号処理方法。
【発明の詳細な説明】
【０００１】
【発明の属する技術分野】
本発明は、クローズド・キャプション機能を有したテレビジョン受像機及びクローズド・キャプション機能を有したテレビジョン受像機における映像信号処理方法に関するものであり、特に一つの画面内に複数の映像を表示させるようにしたＰＩＰ型及びＰＯＰ型テレビジョン受像機に関する。
【０００２】
【従来の技術】
一般に、単一の画面上に複数の画面を重畳表示させる、いわゆるＰＩＰ（Ｐｉｃｔｕｒｅ  Ｉｎ  Ｐｉｃｔｕｒｅ）又はＰＯＰ（Ｐｉｃｔｕｒｅ  Ｏｕｔ  ｏｆ  Ｐｉｃｔｕｒｅ）機能を有したテレビジョン受像機が知られている。これらのテレビジョン受像機では、ユーザーは１つの画面上で種々の異なった映像を同時に見ることができる。例えば映画を鑑賞しながらニュースを見るといったことが可能となる。
【０００３】
このようなＰＩＰ又はＰＯＰ機能を有するテレビジョン受像機は、内部にメモリを備えており、このメモリに対して映像信号の書き込み、読み出しを交互に繰り返すことによって、縮小された映像を生成している。
【０００４】
ＰＩＰ機能を有するテレビジョン受像機では、生成された縮小映像を縮小されていない映像の一部に重複して表示を行う。また通常この縮小されていない映像に対応する音声がスピーカーから出力される。一方、ＰＯＰ機能を有するテレビジョン受像機では、複数の映像信号が縮小処理されて、画面上に配列表示される。また、通常複数の縮小映像の内から選択された映像に対応する音声がスピーカから出力される（以下の説明では、音声が出力されている映像を主画面と称し、音声が出力されていない映像を副画面と称することにする）。
【０００５】
【発明が解決しようとする課題】
しかしながら、ＰＩＰやＰＯＰ機能を有したテレビジョン受像機では、視聴者は音声が出力されている主画面については、番組内容を認識することができるが、音声が出力されていない副画面については番組内容を把握しにくいという問題があった。
【０００６】
一方、難視聴者に対する対策として字幕を表示するクローズド・キャプション（Ｃｌｏｓｅｄ  Ｃａｐｔｉｏｎ）機能を有したテレビジョン受像機が知られている。
【０００７】
【課題を解決するための手段】
上記課題を解決するために、本発明に係るクローズド・キャプション機能を有したテレビジョン受像機及びクローズド・キャプション機能を有したテレビジョン受像機における映像信号処理方法は、次に示す構成にすることである。
（１）クローズド・キャプション機能を有したテレビジョン受像機は、少なくとも一つがクローズド・キャプションに対応している複数の映像ソースからの映像信号に基づく映像を主画面および副画面として同時に映像出力装置の画面上に表示するとともに、上記映像信号に対応する音声信号を音声出力装置に供給するようにしたクローズド・キャプション機能を有したテレビジョン受像機であって、上記複数の映像ソースからの映像信号の内、主画面として出力する映像信号を選択する主選択手段と、上記複数の映像ソースからの映像信号の内、副画面として出力する映像信号を選択する副選択手段と、上記主選択手段により選択された映像信号を処理して上記映像出力装置に供給する主映像処理手段と、上記主選択手段により選択された映像信号に対応する音声信号を処理して上記音声出力装置から音声として出力する音声処理手段と、上記複数の映像ソースからの映像信号の内、上記副選択手段により選択された映像信号に付随したクローズド・キャプション信号を文字表示回路に供給してクローズド・キャプション信号に対応した文字を表示するため字幕信号を発生させ、この字幕信号を上記映像出力装置に供給し、上記副画面以外の位置にクローズド・キャプションを表示するクローズド・キャプション処理手段とを備え、上記映像出力装置の画面上に主画面および副画面を同時に表示し、主画面に対応する音声を上記音声出力装置から出力し、副画面に対応する音声を上記音声出力装置から出力しないようにし、上記クローズド・キャプション処理手段は、表示すべき副画面が複数ある時に、この複数の副画面に対応する複数の映像信号に付随するクローズド・キャプション信号を処理し、処理された複数のクローズド・キャプションそれぞれを、対応する副画面と位置的に対応させて表示するようにしたことを特徴とする。
（２）（１）に記載のクローズド・キャプション機能を有したテレビジョン受像機であって、さらに、表示すべき副画面が複数ある時に、この複数の副画面の外枠の色を互いに変える手段を設け、上記クローズド・キャプション処理手段は、クローズド・キャプションの色を、対応する副画面の外枠の色と同一色で表示するようにしたことを特徴とするクローズド・キャプション機能を有したテレビジョン受像機。
（３）クローズド・キャプション機能を有したテレビジョン受像機における映像信号処理方法は、少なくとも一つがクローズド・キャプションに対応している複数の映像ソースからの映像信号に基づく映像を主画面および副画面として同時に映像出力装置の画面上に表示するとともに、上記映像信号に対応する音声信号を音声出力装置に供給するようにしたクローズド・キャプション機能を有したテレビジョン受像機における映像信号処理方法であって、上記複数の映像ソースからの映像信号の内、主画面として出力する映像信号を選択し、上記複数の映像ソースからの映像信号の内、副画面として出力する映像信号を選択し、上記選択された主画面として出力する映像信号を処理して上記映像出力装置に供給し、上記選択された主画面として出力する映像信号に対応する音声信号を処理して上記音声出力装置から音声として出力し、上記複数の映像ソースからの映像信号の内、上記選択された副画面として出力する映像信号に付随したクローズド・キャプション信号に対応した文字を表示するため字幕信号を発生させ、この字幕信号を上記映像出力装置に供給し、上記副画面以外の位置にクローズド・キャプションを表示し、上記映像出力装置の画面上に主画面および副画面を同時に表示し、主画面に対応する音声を上記音声出力装置から出力し、副画面に対応する音声を上記音声出力装置から出力しないようにし、表示すべき副画面が複数ある時に、この複数の副画面に対応する複数の映像信号に付随するクローズド・キャプション信号を処理し、処理された複数のクローズド・キャプションそれぞれを、対応する副画面と位置的に対応させて表示するようにしたことである。
（４）（３）に記載のクローズド・キャプション機能を有したテレビジョン受像機における映像信号処理方法であって、さらに、表示すべき副画面が複数ある時に、この複数の副画面の外枠の色を互いに変え、上記クローズド・キャプションの色を、対応する副画面の外枠の色と同一色で表示するようにしたことを特徴とするクローズド・キャプション機能を有したテレビジョン受像機における映像信号処理方法。
【０００８】
このように構成したクローズド・キャプション機能を有したテレビジョン受像機及びクローズド・キャプション機能を有したテレビジョン受像機における映像信号処理方法は、副画面の内容を表したクローズド・キャプションを表示するようにしたことにより、主画面の映像を鑑賞しているときであっても、副画面の映像の内容を容易に理解することができるようになる。
【０００９】
【発明の実施の形態】
次に、本発明に係るクローズド・キャプション機能を有したテレビジョン受像機における映像信号処理方法を具現化できるためのクローズド・キャプション機能を有したテレビジョン受像機１について図面を参照して説明する。
【００１０】
図１に示すように、アンテナ２は分岐器３を介して主チューナ４及び副チューナ５に接続される。主チューナ４の出力は主映像中間周波数回路（主ＶＩＦ）６及び主スイッチＳＷ７を介して主映像信号回路８に接続される。
【００１１】
副チューナ５の出力は主映像中間周波数回路（副ＶＩＦ）１６、副スイッチＳＷ１７及びスイッチ３０を介して副映像信号回路１８に接続される。主映像中間周波数回路６から出力される音声信号は音声信号処理回路１１を介してスイッチ１２に供給される。
【００１２】
スイッチ１２の出力は音声増幅器１３を介してスピーカ１４に接続される。ビデオテープレコーダ等の外部機器からの映像信号及び音声信号は外部映像信号入力端子Ｖ1〜Ｖ3及び外部音声信号入力端子Ａ1〜Ａ3から入力されて、外部映像信号は主スイッチＳＷ７に供給され、外部音声信号はスイッチＳＷ１２に供給される。
【００１３】
主映像信号回路８の出力（映像信号Ｙm、（Ｂ−Ｙ）m、（Ｒ−Ｙ）m、同期信号Ｖm、Ｈm）は画面合成回路９及び偏向高圧回路１４に接続される。また副映像信号処理回路１８の出力（映像信号ＹS、（Ｂ−Ｙ）S、（Ｒ−Ｙ）S、同期信号ＶS、ＨS）は画面合成回路９に接続される。
【００１４】
画面合成回路９から出力されるＹ信号、Ｂ−Ｙ信号及びＲ−Ｙ信号は加算回路２２−１、２２−２、２２−３を介してマトリクス回路１０に供給される。マトリクス回路１０の出力信号Ｒ，Ｇ，Ｂは陰極線管１５に接続される。主スイッチＳＷ７、副スイッチＳＷ１７、スイッチ１２、３０はそれぞれシステム制御回路１９によって制御される。
【００１５】
システム制御回路１９には、リモートコマンダ２４からの赤外線信号を受光する受光部２３及びテレビジョン受像機のフロントパネルに設けられたキー装置２５が接続されている。さらにシステム制御回路１９にはラストメモリ２０が接続されると共に、文字表示回路２１が接続されている。文字表示回路２１の出力は加算回路２２ー１、２２ー２、２２ー３に接続されている。
【００１６】
このような構成からなるテレビジョン受像機１の動作について、以下、図１を参照して詳細に説明する。
【００１７】
アンテナ２により受信した受信信号は、分岐器３に供給され、この分岐器３は、受信信号を殆ど減衰することなく主チューナ４に供給すると共に副チューナ５に供給する。
【００１８】
主チューナ４より出力される信号は、主映像中間周波回路（主ＶＩＦ）６を介して主スイッチ回路７に供給されて、外部映像信号入力端子Ｖ１、Ｖ２、Ｖ３からの外部映像信号と切り換えられる。切り換えられた映像信号が主映像信号回路８に供給される。この主映像信号回路８において画質調整等が行なわれ、輝度信号Ｙmと色差信号（ＲーＹ）m、（Ｂ−Ｙ）mが出力されて、画面合成回路９に供給される。この際に同期信号Ｈm、Ｖmが画面合成回路９に供給される。
【００１９】
主映像中間周波回路６よりの音声信号は、音声信号処理回路１１に供給され、その音声信号処理回路１１よりの音声信号がスイッチ回路１２に供給され、上述の外部映像信号入力端子Ｖ１、Ｖ２、Ｖ３に対応する、外部音声信号入力端子Ａ１、Ａ２、Ａ３よりの外部音声信号と切り換えられる。このようにして切り換えられた音声信号が音声増幅器１３を介して、スピーカ１４に供給される。
【００２０】
主映像信号回路８よりの水平及び垂直同期信号Ｈm、Ｖmは偏向・高圧回路１４に供給され、偏向・高圧回路１４において生成された偏向信号が陰極線管１５に供給される。
【００２１】
副チューナ５より出力される信号は、副映像中間周波回路（副ＶＩＦ）１６に供給され、これよりの映像信号が副スイッチ回路１７に供給されて、外部映像信号入力端子Ｖ１、Ｖ２、Ｖ３からの外部映像信号と切り換えられる。切り換えられた映像信号がスイッチ３０によりオン／オフ制御されて副映像信号回路１８に供給される。
【００２２】
この副映像信号回路１８において画質調整等が行われて、輝度信号ＹSと色差信号（ＲーＹ）S、（ＢーＹ）Sが出力されて画面合成回路９に供給される。
【００２３】
また主映像信号回路８及び副映像信号回路１８は垂直帰線区間の所定ラインに多重されているクローズドキャプション信号ＣＣm、ＣＣSを抜き出してシステム制御回路１９に出力する。
【００２４】
画面合成回路９はＡ／Ｄコンバータ、メモリ、Ｄ／Ａコンバータ等から構成される。画面合成回路９は、主映像信号回路８から主映像信号である輝度信号Ｙm、（Ｂ−Ｙ）m、（Ｒ−Ｙ）m、主映像信号の同期信号Ｖm、Ｈmを入力すると共に、副映像信号回路１８から副映像信号である輝度信号ＹS、（Ｂ−Ｙ）S、（Ｒ−Ｙ）S、副映像信号の同期信号ＶS、ＨSを入力する。画面合成回路９はシステム制御回路１９による制御に基づいて、ＰＩＰやＰＯＰといった画面合成処理を行う。
【００２５】
またＰＩＰやＰＯＰ処理が行われないときには、システム制御回路１８は、スイッチ３０を図１に示されている状態とは反対側の端子に切り替えると共に、主映像信号回路８が入力した信号をそのままマトリクス回路１０に出力するように制御を行う。
【００２６】
さらにＰＯＰ機能のように、副画像として表示する画像が複数あるときには、システム制御回路１９は所定時間ごとにチャンネルが変わるように副チューナ５を制御し、それぞれのチャンネルの映像（静止画）が画面合成回路９内のメモリに記憶されるように制御する。
【００２７】
これにより、副画面として表示される映像は周期的に更新され、各映像毎では駒落としを行った映像が表示されることになる。
【００２８】
システム制御回路１９は、主映像信号回路８から入力したクローズドキャプション（字幕）信号ＣＣm及び、副映像信号回路１８から入力したクローズドキャプション（字幕）信号ＣＣSを文字表示回路２１に供給すると共に字幕表示位置、文字色、文字背景色を変えた字幕信号を発生するように文字表示回路２１を制御する。
【００２９】
このようにして文字表示回路２１で発生されている字幕信号は加算回路２２−１、２２−２、２２−３に供給される。またシステム制御回路１９はリモートコマンダ２４またはキー装置２５から入力された使用者の指示に基づいて、（１）主画面の字幕のみ表示、（２）副画面の字幕のみ表示、（３）主・副画面の字幕を両方とも表示のいづれかの表示モードを文字表示回路２１に設定することができる。
【００３０】
さらにＰＯＰのように表示すべき副画面が複数ある時には、システム制御回路１９は副映像信号回路１８から供給されるチャンネル毎の字幕信号を受信し、これらの字幕信号と映像との対応関係が分かる表示を行うように画面合成回路９と文字表示回路２１を制御する。
【００３１】
このような構成からなるテレビジョン受像機１においては、主画面と副画面をＰＩＰ型で表示するかＰＯＰ型で表示するかを適宜選択して表示することができる。
【００３２】
図２〜図４は、ＰＩＰ型画面において、１個の副画面の字幕を主画面の適宜位置に表示した表示形態の具体例を示し、図５〜図８は複数の副画面の字幕を主画面の適宜位置に表示した表示形態の具体例を示したものである。
【００３３】
第１の字幕の表示例は、図２に示すように、主画面３６の右下に副画面３７を表示し、この副画面３７の左側、即ち、主画面３６の下部側に副画面３７の字幕３５ａを半透明なバックグランド上に表示したものである。
【００３４】
第２の字幕の表示例は、図３に示すように、主画面３６の右下に副画面３７を表示し、この副画面３７の左側、即ち、主画面３６の下部側に副画面３７の字幕３５ｂのキャラクタに陰影を施して表示したものである。
【００３５】
第３の字幕の表示例は、図４に示すように、主画面３６の右下に副画面３７を表示し、この副画面３７の左側、即ち、主画面３６の下部側に副画面３７の字幕３５ｃのキャラクタを白抜きにして表示したものである。
【００３６】
尚、上記第１〜第３の字幕の表示例３５ａ、３５ｂ、３５ｃに限定されることなく、要は主画面３６を見ている最中に副画面３７の副画像の内容が字幕３５ａ、３５ｂ、３５ｃを見て容易に理解できる表示であればよい。
【００３７】
第４の字幕の表示例は、図５に示すように、主画面３６内に複数の副画面３７ａ、３７ｂ、３７ｃを表示したものであり、主画面３６の右側に縦に複数の副画面３７ａ、３７ｂ、３７ｃ（実施例において３個）を表示した構成になっている。この副画面３７ａ、３７ｂ、３７ｃに対応するそれぞれの字幕３５ｄ、３５ｅ、３５ｆはそれぞれの副画面３７ａ、３７ｂ、３７ｃの左側に表示するようにする。
【００３８】
この字幕３５ｄ、３５ｅ、３５ｆの表示形態は、上記図２〜図４で説明した第１〜第３の種々の表示形態を援用することができる。又は、それぞれの副画面３７ａ、３７ｂ、３７ｃの周囲に色彩を施し、この色彩と同一色、又は同系色の色彩で字幕３５ｄ、３５ｅ、３５ｆを表示するようにしてもよい。更に、副画面３７ａ、３７ｂ、３７ｃに表示するチャンネル番号と同一番号、又はそれぞれの副画面３７ａ、３７ｂ、３７ｃの固有の番号に対応させて字幕３５ｄ、３５ｅ、３５ｆに表示するようにしてもよい。又、副画面３７ａ、３７ｂ、３７ｃの物理的な位置に番号を付け、例えば上からの番号、又は下側からの番号に対応させて表示するようにしてもよく、複数の副画面３７ａ、３７ｂ、３７ｃと字幕３５ｄ、３５ｅ、３５ｆとの対応付けが主画面及び副画面を見て容易に解ればよい。
【００３９】
第５の字幕の表示例３５ｇ、３５ｈ、３５ｉは、図６に示すように、主画面３６内に複数の副画面３７ａ、３７ｂ、３７ｃを表示したものであり、主画面３６の右側に縦に複数の副画面３７ａ、３７ｂ、３７ｃ（実施例において３個）を表示した構成になっている。この副画面３７ａ、３７ｂ、３７ｃの字幕３５ｇ、３５ｈ、３５ｉは最下部の副画面３７ｃの左側であって、主画面３６の下部側にまとめて縦一列に表示するようにし、その字幕３５ｇ、３５ｈ、３５ｉの表示形態は上記図２〜図４で説明した第１〜第３の種々の表示形態、又は図５で示した第４の表示例で説明した色彩及び／又は番号等に対応させて表示することができる。
【００４０】
第６の字幕の表示例は、図７に示すように、主画面３６内に複数の副画面３７ａ、３７ｂ、３７ｃを表示したものであり、主画面３６の右側に縦に複数の副画面３７ａ、３７ｂ、３７ｃ（実施例において３個）を表示した構成になっている。この副画面３７ａ、３７ｂ、３７ｃの字幕３５ｊ、３５ｋ、３５ｌは最下部の副画面３７ｃの左側であって、主画面３６の下部側に横一列に並べて表示するようにし、その字幕３５ｊ、３５ｋ、３５ｌの表示形態は上記図２〜図４で説明した第１〜第３の種々の表示形態、又は図５で示した第４の表示例で説明した色彩及び／又は番号等に対応させて表示することができる。
【００４１】
第７の字幕の表示例は、図８に示すように、主画面３６内に複数の副画面３７ａ、３７ｂ、３７ｃを表示したものであり、主画面３６の右側に縦に複数の副画面３７ａ、３７ｂ、３７ｃ（実施例において３個）を表示した構成になっている。この副画面３７ａ、３７ｂ、３７ｃの字幕３５ｍ、３５ｎ、３５ｏは最上部の副画面３７ａの左側であって、主画面３６の上部側に横一列に並べて表示するようにし、その字幕３５ｍ、３５ｎ、３５ｏの表示形態は上記図２〜図４で説明した第１〜第３の種々の表示形態、又は図５で示した第４の表示例で説明した色彩及び／又は番号等に対応させて表示することができる。
【００４２】
図９は、ＰＯＰ型画面における、主画面及び副画面の分割の形態を示したものであり、主画面３６と副画面３７ｄの表示画面の大きさを略同じにして、適宜位置に副画面３７ｄの字幕３５ｐ、又は３５ｑ、又は３５ｒを表示した構成になっている。副画面３７ｄに対する字幕３５ｐ、３５ｑ、３５ｒは、分割された主画面３６及び副画面３７ｄから外れた位置、即ち、ブランク領域３８等に表示しても良く、又は集中して観る主画面３６の適宜位置（主たる画面の邪魔にならない位置）に表示するようにしてもよい。
【００４３】
このような構成にしたことにより、視聴者は、例えば主画面３６で野球を見ているとすると、その音声を聞きながら映像を楽しむ。同時に副画面３７ｄの字幕３５ｐ、又は３５ｑ、又は３５ｒを時折見ることにより、現在の副画面３７ｄがどのような内容であるか等が容易に解る。従って、字幕によってある程度その内容を知り、副画面の方を見たくなった時には、主画面と副画面の入れ替え操作をリモートコマンダ等により行うことで、副画面であった映像を音声付きで楽しむことができるようになる。
【００４４】
【発明の効果】
以上説明した本発明に係るクローズド・キャプション機能を有したテレビジョン受像機は、音声出力されない副画面のクローズド・キャプションを表示させるようにしたことにより、副画面に映出されている映像の内容を容易に知ることができると云う効果がある。
【図面の簡単な説明】
【図１】本発明に係るＰＩＰ型又はＰＯＰ型のテレビジョン受像機を示したブロック図である。
【図２】同ＰＩＰ型の画面において、主画面に副画面に映出されている副画像の内容を半透明のバックグランドにして表示した字幕の説明図である。
【図３】同ＰＩＰ型の画面において、主画面に副画面に映出されている副画像の内容を陰影を付けた文字で表示した字幕の説明図である。
【図４】同ＰＩＰ型の画面において、主画面に副画面に映出されている副画像の内容を白抜きの文字で表示した字幕の説明図である。
【図５】同ＰＩＰ型の画面において、複数の副画面に映出されている副画像の内容に対応させて表示した字幕の説明図である。
【図６】同ＰＩＰ型の画面において、複数の副画面に映出している副画像の内容に対応した字幕を１箇所に並べて表示した説明図である。
【図７】同ＰＩＰ型の画面において、複数の副画面に映出している副画像の内容に対応した字幕を主画面の下部位置に一列に並べて表示した説明図である。
【図８】同ＰＩＰ型の画面において、複数の副画面に映出している副画像の内容に対応した字幕を主画面の上部位置に一列に並べて表示した説明図である。
【図９】同ＰＯＰ型の画面において、副画面に映出している副画像の内容の字幕を表示する位置を示した説明図である。
【符号の説明】
１；テレビジョン受像機、２；アンテナ、３；分岐器、４；主チューナ、５；副チューナ、６；主映像中間周波回路（主ＶＩＦ）、７；主スイッチ（主ＳＷ）、８；主映像信号回路、９；画面合成回路、１０；マトリクス回路、１１；音声信号処理回路、１２；スイッチ、１３；音声増幅器、１４；スピーカ、１５；陰極線管、１６；副映像中間周波回路（副ＶＩＦ）、１７；副スイッチ、１８；副映像信号回路、１９；システム制御、２０；ラストメモリ、２１；文字表示回路、２２；加算回路、２３；受光部、２４；リモートコマンダ
【図１】
0004106698.tif 000002
【図２】
0004106698.tif 000003
【図３】
0004106698.tif 000004
【図４】
0004106698.tif 000005
【図５】
0004106698.tif 000006
【図６】
0004106698.tif 000007
【図７】
0004106698.tif 000008
【図８】
0004106698.tif 000009
【図９】
0004106698.tif 000010